(57)【要約】【課題】  液状化現象が起ころうとする際に地中に発生する上昇地下水を逃がすことにより、液状化現象の発生を未然に防止することができる建造物周囲の地盤構築工法並びに該工法に用いられる浸透側溝の提供を図る。【解決手段】  側溝用溝を掘削すると共にトレンチ溝を掘削し、掘削された各溝内に夫々浸透側溝１及び浸透トレンチ２を挿設し、挿設された浸透側溝１と浸透トレンチ２との突合せ箇所を直接若しくは接続枡３を介して接続した状態で、該浸透側溝１及び浸透トレンチ２の周囲を埋め戻すという各工程を経て、建造物Ｈの周囲における液状化を未然に防ぐことが可能な地盤Ｇを構築する。【選択図】図１
2014020167.tif 000002
【特許請求の範囲】
【請求項１】
建造物周囲の地盤構築工法であって、
浸透側溝を埋設するための所要長さ、幅、深さを有する側溝用溝を、建造物の正面地盤に掘削する側溝用溝掘削工程と、
浸透トレンチを埋設するための所要長さ、幅、深さを有するトレンチ溝を、前記側溝用溝から建造物の周囲地盤に向けて掘削するトレンチ溝掘削工程と、
前記側溝用溝掘削工程により掘削された側溝用溝に所要長さ、幅、高さを有し、少なくとも一部に浸透機能を備える浸透側溝を複数挿設する側溝挿設工程と、
前記トレンチ溝掘削工程により掘削されたトレンチ溝に所要長さ、幅、高さを有し、少なくとも一部に浸透機能を備える浸透トレンチを複数挿設するトレンチ挿設工程と、
前記側溝挿設工程及びトレンチ挿設工程により挿設された浸透側溝と浸透トレンチとの突合せ箇所を接続する接続工程と、
前記側溝挿設工程により側溝用溝内に挿設された浸透側溝の周囲を埋め戻す側溝埋設工程と、
前記トレンチ挿設工程によりトレンチ溝内に挿設された浸透トレンチの周囲を埋め戻すトレンチ埋設工程と、
からなることを特徴とする建造物周囲の地盤構築工法。
【請求項２】
前記建造物周囲の地盤構築工法において、
前記側溝挿設工程の前工程として、側溝用溝内に砕石を敷設する砕石敷設工程を備えることを特徴とする請求項１に記載の建造物周囲の地盤構築工法。
【請求項３】
前記建造物周囲の地盤構築工法において、
前記接続工程における浸透側溝と浸透トレンチとの突合せ箇所に、接続枡が設置されていることを特徴とする請求項１または請求項２に記載の建造物周囲の地盤構築工法。
【請求項４】
前記建造物周囲の地盤構築工法において、
前記接続枡が、浸透構造を備えて成ることを特徴とする請求項３に記載の建造物周囲の地盤構築工法。
【請求項５】
請求項１から請求項４のいずれかに記載の建造物周囲の地盤構築工法において用いられる水浸透性を有する側溝であって、
所要長さ、幅、高さを有する全体がコンクリートにより成型された側溝本体において、上部には上方が開口したＵ字状水路が形成されると共に、下部には長さ方向に貫通する中空路が形成されて成り、所定高さ位置より下方領域における一部若しくは全部が透水性コンクリートにより構成されていることを特徴とする浸透側溝。
【請求項６】
前記浸透側溝において、透水性コンクリートを構成する所定高さ位置より下方領域が、上部に形成されるＵ字状水路と下部に形成される中空路との中間位置から下方領域であることを特徴とする請求項５に記載の浸透側溝。
【請求項７】
前記浸透側溝において、透水性コンクリートを構成する所定高さ位置より下方領域が、上部に形成されるＵ字状水路における所定中間高さ位置から下方領域であることを特徴とする請求項５に記載の浸透側溝。
【発明の詳細な説明】
【技術分野】
【０００１】
本発明は、建造物を構築する際に地盤に設置する水浸透性を有するトレンチを用いた建造物周囲の地盤構築工法に関し、さらには、該工法を用いられる水浸透性を有する側溝に関するものである。
【背景技術】
【０００２】
地震が発生した場合の問題の一つに、地盤の液状化現象が挙げられる。かかる液状化現象とは、地下水位の高い場所若しくは地下水位が何かの要因で上昇した場所で、地震などにより連続した震動が地盤に加えられた際に、該地盤の体積が減少して急激に耐力が失われるとともに、地下水が上昇し砂などと共に地表に噴出する現象である。この液状化現象が発生すると、地盤体積の減少及び地下水の上昇に伴い地盤沈下・不同沈下を生じて、建造物の傾き・倒壊や該建造物周囲の地盤の沈下・崩壊を引き起すこととなる。
【０００３】
上記の問題点を解決すべく、液状化に対抗する地盤構築の方法として、地盤粒度を改良する置換工法や質改良材を混合し強度を増加させる表層混合処理工法、地盤内の地下水を強制排水するウェルポイント工法など、種々の方法が提案されている。
しかしながら、上記置換工法や表層混合処理工法はいずれも、地盤そのものの改良を目的とするものであって、建造物の大きさすなわち地盤改良に必要な面積によっては、作業負担の増加とともに大変なコストの増加を伴うこととなる。併せて上記ウェルポイント工法は、ウェルが建造物の下方に埋設されるものであるため、該ウェルの設置が建造物の新築時に限られることとなり、既に存在する建造物への対策に用いることができない。
【０００４】
したがって、既に建設済み建造物の周囲地盤に着目し、かつ、地盤そのものを改良するのではなく、液状化現象が発生するプロセスからアプローチして、その液状化現象が起ころうとする際に発生する地下水の上昇を逃がすための工夫を施すことにより、未然に液状化現象の発生を防ぐ方法が待たれるところである。
【０００５】
【特許文献１】特開２００７−２３９４０５号公報
【発明の開示】
【発明が解決しようとする課題】
【０００６】
そこで本発明は、上記問題点に鑑み、液状化現象が起ころうとする際に、建造物周囲の地中に発生する上昇地下水を逃がすことにより、液状化現象の発生を未然に防止することができる建造物周囲の地盤構築工法並びに該工法に用いられる浸透側溝を提供することを課題とするものである。
【課題を解決するための手段】
【０００７】
上記課題を解決するため、請求項１に記載の発明は、建造物周囲の地盤を構築するための工法であって、浸透側溝を埋設するための所要長さ、幅、深さを有する側溝用溝を、建造物の正面地盤に掘削する側溝用溝掘削工程と、浸透トレンチを埋設するための所要長さ、幅、深さを有するトレンチ溝を、前記側溝用溝から建造物の周囲地盤に向けて掘削するトレンチ溝掘削工程と、前記側溝用溝掘削工程により掘削された側溝用溝に所要長さ、幅、高さを有し、少なくとも一部に浸透機能を備える浸透側溝を複数挿設する側溝挿設工程と、前記トレンチ溝掘削工程により掘削されたトレンチ溝に所要長さ、幅、高さを有し、少なくとも一部に浸透機能を備える浸透トレンチを複数挿設するトレンチ挿設工程と、
前記側溝挿設工程及びトレンチ挿設工程により挿設された浸透側溝と浸透トレンチとの突合せ箇所を接続する接続工程と、前記側溝挿設工程により側溝用溝内に挿設された浸透側溝の周囲を埋め戻す側溝埋設工程と、前記トレンチ挿設工程によりトレンチ溝内に挿設された浸透トレンチの周囲を埋め戻すトレンチ埋設工程と、から構成されている。
【０００８】
また、請求項２に記載の発明は、前記工法において、前記側溝挿設工程の前工程として、側溝用溝内に砕石を敷設する砕石敷設工程を備えた構成を採る。
【０００９】
さらに、請求項３に記載の発明は、前記工法において、前記接続工程における浸透側溝と浸透トレンチとの突合せ箇所に、接続枡が設置されている構成を採用している。
【００１０】
またさらに、請求項４に記載の発明は、前記工法において、前記接続枡が、浸透構造を備えた構成となっている。
【００１１】
そしてまた、請求項５に記載の発明は、前記工法において用いられる水浸透性を有する側溝であって、所要長さ、幅、高さを有する全体がコンクリートにより成型された側溝本体において、上部には上方が開口したＵ字状水路が形成されると共に、下部には長さ方向に貫通する中空路が形成されて成り、所定高さ位置より下方領域における一部若しくは全部が透水性コンクリートにより構成されている浸透側溝である。
【００１２】
さらにまた、請求項６に記載の発明は、前記浸透側溝において、透水性コンクリートを構成する所定高さ位置より下方領域が、上部に形成されるＵ字状水路と下部に形成される中空路との中間位置から下方領域である構成を採用する。
【００１３】
またさらに、請求項７に記載の発明は、前記浸透側溝において、透水性コンクリートを構成する所定高さ位置より下方領域が、上部に形成されるＵ字状水路における所定中間高さ位置から下方領域である構成を採用している。
【発明の効果】
【００１４】
本発明にかかる建造物周囲の地盤構築工法によれば、建造物周囲の地盤に施工する工法であるため、新築時にウェル等を建造物下方に埋設する液状化対策と異なり、既存建造物における液状化対策として大変有効であると共に、建造物だけでなくその周囲の地盤に対し、地盤の柔軟化を防止して地盤沈下・不同沈下を未然に防ぐことが可能となる、といった優れた効果を奏する。
【００１５】
また、本発明にかかる浸透側溝によれば、液状化現象が起こる際に発生する上昇地下水を、浸透トレンチを介して集水して効果的に地中から除去することが可能であると共に、浸透構造を備えていることで液状化における水圧で押し上げられることを防止することができ、さらに、浸透側溝内に集水された地下水は、上部Ｕ字水路を流れて他の場所へ排水されると共に、地下へ再度浸透させることも可能である、といった優れた効果を奏するものである。
【図面の簡単な説明】
【００１６】
【図１】本発明にかかる建造物周囲の地盤構築工法の実施形態を示すフロー図である。（実施例１）
【図２】本発明にかかる建造物周囲の地盤構築工法の実施形態を示す平面図である。（実施例１）
【図３】本発明にかかる建造物周囲の地盤構築工法の実施形態を示す斜視断面図である。（実施例１）
【図４】本発明にかかる建造物周囲の地盤構築工法の実施形態を示す要部拡大図である。（実施例１）
【図５】本発明にかかる建造物周囲の地盤構築工法の実施形態を示すフロー図である。（実施例２）
【図６】本発明にかかる建造物周囲の地盤構築工法の実施形態を示す要部拡大図である。（実施例２）
【図７】本発明にかかる浸透側溝の実施態様を示す正断面図である。（実施例３）
【発明を実施するための形態】
【００１７】
本発明は、建造物Ｈの周囲の地盤Ｇの構築に際し、側溝用溝を掘削すると共にトレンチ溝を掘削し、掘削された各溝内に夫々浸透側溝１及び浸透トレンチ２を挿設し、挿設された浸透側溝１と浸透トレンチ２との突合せ箇所を接続した状態で、該浸透側溝１及び浸透トレンチ２の周囲を埋め戻すという各工程を経て、建造物Ｈの周囲における液状化を未然に防ぐことが可能な地盤Ｇを構築することを最大の特徴とする。以下、本発明にかかる建造物Ｈ周囲の地盤構築工法並びに該工法に用いられる浸透側溝１の実施形態を、図面に基づき説明する。
【００１８】
なお、本発明は、下記の実施形態に示した構成・態様に限定されるものではなく、本発明の技術的思想の要旨に逸脱しない範囲で、任意に変更することができるものである。
【実施例１】
【００１９】
図１乃至図４は、本発明にかかる建造物Ｈ周囲の地盤構築工法の第一の実施例を示しており、図１はフローチャート、図２は平面図、図３は斜視断面図、図４は要部拡大図である。
図１に示すように、本実施例にかかる建造物Ｈ周囲の地盤構築工法は、側溝用溝掘削工程と、トレンチ溝掘削工程と、側溝挿設工程と、トレンチ挿設工程と、接続工程と、側溝埋設工程と、トレンチ埋設工程と、から構成されている。
【００２０】
側溝用溝掘削工程は、浸透側溝１を埋設するための横溝を掘削する工程である。具体的には、建造物Ｈの正面地盤Ｇに、所要長さ、幅、深さを有する側溝用溝を掘削する工程である。このとき、該側溝用溝の全長については、挿設される複数の浸透側溝１の全体長さによって決定され、少なくとも建造物Ｈの正面長さよりも長く掘削される。また、該側溝用溝の幅及び深さについては、挿設される浸透側溝１の幅及び高さを考慮して決定される。
【００２１】
トレンチ溝掘削工程は、浸透トレンチ２を埋設するための横溝を掘削する工程である。具体的には、建造物Ｈの周囲地盤Ｇに、所要長さ、幅、深さを有するトレンチ溝を掘削する工程である。該トレンチ溝は、前記側溝用溝から建造物Ｈを避けて櫛状あるいは囲い状に掘削されるもので、すなわち該トレンチ溝の少なくとも一端は、前記側溝用溝に繋がった状態に掘削される。このとき、該トレンチ溝の全長については、挿設される複数の浸透トレンチ２の全体長さによって決定される。また、該トレンチ溝の幅及び深さについては、挿設される浸透トレンチ２の幅や高さ、挿設深さ位置を考慮して決定される。
【００２２】
側溝挿設工程は、前記側溝用溝掘削工程により掘削された側溝用溝に、浸透側溝１を挿設する工程である。挿設される側溝１の形態については、特に限定はなく、例えば図４（ｂ）に示すように上方が開口したＵ字状水路１ａを備える側溝１や、図示されていないが上面に取水口を有し内部に中空路を備える側溝１などが考え得る。なお、図３及び図４（ａ）では、上部にＵ字状水路１ａが形成され且つ下部に略円形の中空路１ｂが形成された浸透側溝１を採用した場合について示している。該側溝１は、所要長さ、幅、高さを有し、少なくとも一部に浸透機能Ｆを備えて成る。該浸透機能Ｆを設ける箇所については、特に限定なく、例えば水路１Ａの所定中間高さ位置から下方に浸透機能Ｆを設ける態様などが考え得る。
【００２３】
ところで、側溝用溝の長さ及び該側溝用溝に挿設される浸透側溝１の長さによって、該側溝用溝に必要な浸透側溝１の挿設数は異なることとなる。すなわち、側溝用溝の長さよりも浸透側溝１の長さが短い場合には、一の側溝用溝に複数の浸透側溝１を継ぎ足し挿設することとなる。
【００２４】
トレンチ挿設工程は、前記トレンチ溝掘削工程により掘削されたトレンチ溝に、浸透トレンチ２を挿設する工程である。挿設されるトレンチ２の形態は、矩形のコンクリートブロックにおいて長さ方向に貫通する中空路２Ａが備えられて成る。該トレンチ２は、所要長さ、幅、高さを有し、少なくとも一部に浸透機能Ｆを備えて成る。該浸透機能Ｆを設ける箇所については、特に限定なく、例えばトレンチ２全体に浸透機能Ｆを設けたり、あるいは、中空路２Ａの所定中間高さ位置から下方に浸透機能Ｆを設ける態様などが考え得る。
【００２５】
ところで、トレンチ溝の長さ及び該トレンチ溝に挿設される浸透トレンチ２の長さによって、該トレンチ溝に必要な浸透トレンチ２の挿設数は異なることとなる。すなわち、トレンチ溝の長さよりも浸透トレンチ２の長さが短い場合には、一のトレンチ溝に複数の浸透トレンチを継ぎ足し挿設することとなる。
【００２６】
接続工程は、前記側溝挿設工程及びトレンチ挿設工程により挿設された浸透側溝１と浸透トレンチ２との突合せ箇所を接続する工程である。接続に際しては、浸透トレンチ２の中空路２Ａを流れる水Ｗが浸透機能Ｆを有する浸透側溝１の側壁から該側溝１の水路１Ａ内に浸透・流下すべく、図４（ａ）に示すように、該浸透側溝１の側壁外面に浸透トレンチ２の端面をそのまま突合せて接続すれば足りるが、スムーズな流れを確保すべく、図４（ｂ）に示すように、該突合せ箇所における浸透側溝１の側壁に水路１Ａへの貫通孔を設ける態様も可能である。
【００２７】
このとき、前記浸透側溝１と浸透トレンチ２との突合せ箇所には、接続枡３を設置する態様も考え得る。すなわち、上記した浸透側溝１の側壁に貫通孔を設ける態様は手間がかかり作業上煩雑となることから、浸透トレンチ２の中空路２Ａから浸透側溝１の水路１Ａ内へスムーズな水Ｗの流れを確保すると共に該浸透側溝１と浸透トレンチ２との接続を容易にすべく、かかる突合せ箇所に接続枡３を設置することが望ましい。
【００２８】
かかる接続枡３の形態については、特に限定はなく、通常用いられる接続枡３を用いればよいが、少なくとも一部に浸透構造Ｆが備えられていることが好ましい。該浸透構造Ｆを設ける箇所については、特に限定なく、例えば接続枡３全体を浸透構造Ｆとしたり、あるいは、所定中間高さ位置から下方のみを浸透構造Ｆとする態様などが考え得る。
【００２９】
側溝埋設工程は、前記側溝挿設工程により側溝用溝内に挿設された浸透側溝１の周囲を埋め戻す工程である。このとき、埋設される側溝１の機能上、該浸透側溝１の全てが地中Ｇに埋没することなく、その上面が地上に表出した状態となるように埋め戻されることとなる。
【００３０】
トレンチ埋設工程は、前記トレンチ挿設工程によりトレンチ溝内に挿設された浸透トレンチ２の周囲を埋め戻す工程である。このとき、埋設されるトレンチ２の機能上、該浸透トレンチ２の全てを地中Ｇに埋没させ、地上に表出箇所が無いように埋め戻されることとなる。
【００３１】
以上の工程を経て構築される本実施例にかかる建造物Ｈ周囲の地盤構築工法について、次に、その作用効果すなわち液状化の原因を成す地下水Ｗによる地盤浸水が起こった際の上昇地下水Ｗの流れ、について説明する。
【００３２】
図３に示すように、地震等により地下水Ｗの地盤浸水が起こった際、該地下水Ｗは、建造物Ｈ周囲の地中Ｇに埋設されている浸透トレンチ２の中空路２Ａ内に浸入することとなる。すなわち、該浸透トレンチ２の一部または全部には浸透機能Ｆが備えられていることから、該浸透機能Ｆにより地下水Ｗは中空路２Ａに浸入する。そして中空路２Ａに浸入した地下水Ｗは、該中空路２Ａ内を通って側溝１方向へ流下する。
【００３３】
中空路２Ａ内を側溝１方向へ流下した地下水Ｗは、今度は該浸透側溝１の水路１Ａ内へ流入する。このとき、接続枡３が設置されている場合には、地下水Ｗが一旦接続枡３内に流入し、その後に浸透側溝１の水路１Ａ内へ流入することとなる。浸透側溝１の水路１Ａ及び接続枡３内に流入した地下水Ｗは、該水路１Ａ若しくは接続枡３内に蓄積されあるいは水路１Ａを通って所定方向へ流下することとなる。
【００３４】
浸透側溝１は浸透機能Ｆを備えているため、水路１Ａ内に流入した地下水は、該浸透機能Ｆを介して最終的に側溝１周囲の別の地中Ｇへ再度浸透させられることになる。このとき、接続枡３に浸透構造Ｆが備えられている場合は、同様に該接続枡３内に流入した地下水が該親等構造を介して接続枡３周囲の地中Ｇに再度浸透させられることとなる。
【００３５】
本実施例にかかる建造物周囲の地盤構築工法における地下水の流れは以上の通りであって、液状化の原因を成す地下水による地盤浸水が起こった際に、該地下水を地中Ｇから効率よく流出させて逃がすことで、地盤Ｇの液状化現象の発生を未然に防止すると共に、流出させた地下水を再度地中Ｇへ浸透させることで、地下水の地中還元を可能ならしめるものである。
【実施例２】
【００３６】
図５及び図６は、本発明にかかる建造物Ｈ周囲の地盤構築工法の第二の実施例を示しており、図５はフローチャート、図６は要部拡大図である。
図５に示すように、本実施例にかかる建造物Ｈ周囲の地盤構築工法は、側溝用溝掘削工程と、トレンチ溝掘削工程と、砕石敷設工程と、側溝挿設工程と、トレンチ挿設工程と、接続工程と、側溝埋設工程と、トレンチ埋設工程と、から構成されている。すなわち、本実施例は、上記第一の実施例における側溝挿設工程の前工程として砕石敷設工程が備えられるものであって、該砕石敷設工程以外の各工程については上記第一の実施例と同様であるため、説明は省略する。
【００３７】
砕石敷設工程は、側溝挿設工程の前工程として備えられるものであって、側溝用溝掘削工程によって掘削された側溝用溝内に、砕石４を敷設する工程である。敷設される砕石４の形態については、特に限定はないが、例えば単粒度砕石が使用される。なお、砕石４の具体的敷設箇所は、側溝挿設工程において挿設される浸透側溝１の下方及び側方の三方若しくは何れか二方に砕石４が位置するように敷設する。
【００３８】
なお、浸透側溝１と浸透トレンチ２との突合せ箇所に接続枡３を設置する態様を採用する場合には、該接続枡３の周囲にも砕石４を敷設する態様が採り得る。
【００３９】
本実施例において、かかる砕石敷設工程を備えることで、浸透側溝１の水路１Ａ内に流入した地下水を再度地中Ｇへ浸透させる際に、該地下水の浸透スピードを向上させると共に、側溝１周囲の土壌の軟化を防止し、さらには、液状化の原因を為す地盤浸水が起こった際の水圧による側溝１の浮上を防止することが可能となる。
【００４０】
該砕石敷設工程を行うに際し、側溝用溝の底面を除く側面に透水シートを予め敷く態様が考え得る。かかる透水シートを敷くことで、敷設された砕石４間の隙間に周囲の土壌の侵入を防止することができ、該砕石４の目詰まり防止に資することとなる。
【００４１】
本実施例にかかる建造物Ｈ周囲の地盤構築工法における地下水の流れについては、浸透側溝１の水路１Ａ内に流入した地下水を最終的に側溝１周囲の別の地中Ｇへ再浸透させる際に、敷設された砕石４層を介して地中浸透が為される以外は、上記第一の実施例と同様である。本実施例によれば、流出させた地下水を再度地中Ｇへ浸透させる際の浸透スピードを向上させ、地下水の地中還元効率の向上に資することとなる。
【実施例３】
【００４２】
図７は、本発明にかかる浸透側溝１の実施形態を示す正断面図である。
図７に示すように、本発明にかかる浸透側溝１は、前記建造物Ｈ周囲の地盤構築工法において使用される側溝１であって、所要長さ、幅、高さを有する全体がコンクリートにより成型された側溝本体１Ｂにおいて、上部には上方が開口したＵ字状水路１ａが形成されると共に、下部には長さ方向に貫通する中空路１ｂが形成されて構成されており、いわゆるＵ字状水路１ａと中空路１ｂとの二つの水路１Ａが上下に備わる構成態様である。
【００４３】
Ｕ字状水路１ａと中空路１ｂとは、側溝本体１Ｂを為すコンクリートにより隔てられているが、必要に応じてＵ字状水路１ａと中空路１ｂとを貫通する孔を所定箇所に備える態様も可能である。
【００４４】
該浸透側溝１は、側溝本体１Ｂの所定高さ位置より下方領域における一部若しくは全部が透水性コンクリートにより成型されている。なお、浸透側溝１における浸透コンクリートＦ以外の部分は、通常のコンクリート製となる。このとき、浸透コンクリートＦ部分の位置・大きさについては、浸透側溝１の浸透効率や埋設対象地盤Ｇの地質などを考慮して決定すればよい。
【００４５】
かかる透水性コンクリートを構成する所定高さ位置より下方領域について、図７（ａ）に示すように上部に形成されるＵ字状水路１ａと下部に形成される中空路１ｂとの中間位置から下方領域とする態様が考えられ、あるいは、図７（ｂ）に示すように上部に形成されるＵ字状水路１ａにおける所定中間高さ位置から下方領域とする態様も可能である。
【００４６】
かかる浸透側溝１は、側溝本体１Ｂの一部若しくは全部が透水性コンクリートにより成型されているため、Ｕ字状水路１ａあるいは中空路１ｂ内に流入した地下水を効果的に地中Ｇへ浸透させることが可能であり、しかもＵ字状水路１ａと中空路１ｂとに水路１Ａが二段構造を採用していることから、該Ｕ字状水路１ａが通常の側溝１としての機能を果たすと共に、液状化の原因を成す地下水による地盤浸水が起こった際の上昇地下水をＵ字状水路１ａと中空路１ｂとで分担して受け入れることで、該地下水の許容量が向上して、液状化現象の未然防止に資することとなる。
【産業上の利用可能性】
【００４７】
本発明にかかる建造物周囲の地盤構築工法並びに該工法に用いられる浸透側溝１は、地中Ｇにおいて液状化の原因を成す地下水による地盤浸水が起こった場合に、該地下水を地中Ｇから効率よく流出させて逃がすことで、地盤Ｇの液状化現象の発生を未然に防止することが可能であると共に、該地下水を受け入れる側溝１が水浸透性を備えることで、地下水の地中Ｇへの再浸透を図るものであって、本発明の産業上の利用可能性は大である。
【符号の説明】
【００４８】
１    浸透側溝
１Ａ  水路
１Ｂ  側溝本体
１ａ  Ｕ字状水路
１ｂ  中空路
２    浸透トレンチ
２Ａ  中空路
３    接続枡
４    砕石
５    透水シート
Ｆ    浸透コンクリート（浸透機能，浸透構造）
Ｈ    建造物
Ｇ    地盤（地中）
Ｗ    地下水（水）
【図１】
2014020167.tif 000003
【図５】
2014020167.tif 000004
【図２】
2014020167.tif 000005
【図３】
2014020167.tif 000006
【図４】
2014020167.tif 000007
【図６】
2014020167.tif 000008
【図７】
2014020167.tif 000009